(57)【要約】【課題】                    カッタープレートが取り付けられたペーパーホルダーは使用時には、片手でペーパーを引き出し、もう一方の手でカッタープレートを押さえてロールペーパを固定、切断しているため、両手を使用しなければならない。また、ロールペーパー切断時に反動でロールペーパーの切断端部が中へ引き込まれ、ペーパーの端部をつかむことができなくなる。【解決手段】          本体に収納したペーパーが下蓋と上蓋に挟持され、前方へ引っ張り出されると摩擦により上蓋が前方へ引っ張られ、上蓋を支承する回転軸が長孔内を前方へ移動する。必要量のペーパーを引き出した後切断時に、上蓋を後方へ押し戻す力が係り結合軸が長孔内を後方へスライドするのである。  ペーパーは上蓋の後方端縁と下蓋のブレーキに挟持固定されるためスリップせずホルダー内へ巻き込まれない。【選択図】          図９
2005102909.tif 000002
【特許請求の範囲】
【請求項１】
箱状の本体の両側板の上方前方に下蓋を回動自在に軸支する軸孔、上方後方に上蓋を回動自在、且つ、前後にスライド可能に軸支する軸孔を設けると共に上部内壁に下蓋を係止する当板を設け、前記下蓋の前方中央を切欠き、後端縁を上方へ突設し、前記上蓋の前方両側端に本体に係止するストッパーを設けると共に前縁に刃部を形成し、下蓋に上蓋を重ねたとき、上蓋後端縁が下蓋後端縁上のブレ―キより前方に来るように本体側板に取り付けることを特徴とするロールペ―パーホルダー。
【発明の詳細な説明】
【技術分野】
【０００１】
この発明はロールペーパーを収納保持し、シートを引き出し及び切断容易にすると共にペーパーの巻き返し防止機構を有するロールペーパーホルダーに関するものである。
【背景技術】
【０００２】
従来のロールペーパーホルダーはペーパーを切断する機能を有さないのが一般的であり、ロールペーパーの切断にはホルダー背面上部に回動自在に取り付けたプレートの端部に設けられたカッターを用いているが、このプレートは自重でロールペーパーを押さえているだけである。
【０００３】
従来のロールペーパーホルダーは、図１に示すように、本体の枠（２）と回転軸（６）回転自在に結合されるカバー（１）とからなる容器型ホルダーである。カバー（１）内にはロールペーパーの受け床（３）と軸（７）で回転自在に結合垂下する作動板（５）がある。一方、枠（２）の内側には両側端に締結枠（９）を有するブレーキ板（４）が軸（８）で回転自在に結合垂下されている。通常時、ロールペーパーは図２ａに示すように作動版（５）と締結枠（９）によって緩やかにブレーキ板（４）に抱え込まれており自然垂下状態であるが、使用時にロールペーパー（１０）が図２ｂのように前方へ引っ張られると作動板（５）がブレーキ板（４）に接近しペーパー（１０）狭窄固定するにいたるようにしている。（例えば、特許文献１参照。）
【特許文献１】実公平６−１５５７４号（第3頁、第1図、第3図）
【特許文献２】実公平４−７９５９６号（第１頁、第1図）
【発明の開示】
【発明が解決しようとする課題】
【０００４】
また、ロールペーパーの収納及び引き出しを容易にする構成として、図３に示すように、ペーパーホルダー（１１）はペーパーを収納する箱体（１２）の後部側面に蓋（１３）を軸支し、その下に当板（１４）を箱体（１２）の前部で開閉自在に枢支している。蓋（１３）の後方に、当板（１４）を手前に開いて箱体（１２）内にロールペーパーを引き出し、蓋（１３）を閉めて使用するものである。（例えば特許文献２参照。）
【０００５】
カッタープレートが取り付けられたペーパーホルダーは使用時には片手でペーパーを引き出し、もう一方の手でカッタープレートを押さえてロールペーパーを固定、切断している。そのため両手を使用しなければならない。
又、ロールペーパー切断時に反動でロールペーパーの切断端部が中へ引き込まれ、ペーパーの端部をつかむことができなくなる。同様にロールペーパーが使用されて直径が小さくなると引き出し時にペーパーがスリップして中へ巻き込まれてしまう。
【０００６】
図１，図２の発明は、ロールペーパー切断時には強力なブレーキとなり片手でペ―パーを確実に切断することが可能であるが、切断時の反動でペーパーがブレーキ板（４）と作動板（５）との間からすり抜けホルダー内に入り込んでしまうおそれがあり、次に使用するときにペーパーのつかみ代がホルダー外から捕まえられず、わざわざホルダーを開けてペーパーの端を探す必要がある。（例えば、特許文献１参照。）
【０００７】
また、図３，図４の考案は、ロールペーパーの収納は容易だが、切断時には手で蓋（１３）を持ち上げる必要があるため、片手でロールペーパーを切断することは不可能である。又、ロールペーパーを狭窄固定しないため切断時の反動で箱の中にロールペーパーを巻き込むおそれがある。又、巻き込み防止のため蓋（１３）上に重りを取り付ける実施例を開示しているが、ロールペーパー引き出し時にはやはり蓋を持ち上げる必要があり不便である。（例えば、特許文献２参照。）
【課題を解決するための手段】
【０００８】
上記課題を解決するために本発明では図５に示すように、ロールペーパーを収納する箱型の本体（２１）の側板（２２）の上部前方に設けた軸孔（２２ａ）に軸（２４）で回動自在に下蓋（２３）を取り付け、側板（２２）の上部後方に設けた長楕円の孔（２２ｂ）に軸（２６）で上蓋（２５）を回動自在に取り付けるのである。上蓋（２５）には本体（２1）に係止するストッパー（２７）を一体的に形成する。下蓋（２３）の前方中央部を切り欠くと共に、後端縁を上方に突設しブレーキ（２９）とする。
【０００９】
本発明は上述のような構成を有するため以下のように作用する。
本体（２１）に収納したペーパーが下蓋（２３）と上蓋（２５）に挟持され、前方へ引っ張り出されると摩擦により上蓋（２５）が前方へ引っ張られ、上蓋（２５）を支承する回転軸（２６）が長孔（２２ｂ）内を前方へ移動する。必要量のペーパーを引き出した後切断時に、上蓋（２５）を後方へ押し戻す力が係り結合軸（２６）が長孔（２２ｂ）内を後方へスライドするのである。
ペーパーは上蓋（２５）の後方端縁（２５ｂ）と下蓋（２３）のブレーキ（２９）に挟持固定されるためスリップせずホルダー内へ巻き込まれないのである。
【発明の効果】
【００１０】
切断時にはブレーキ機能が作用するため片手でペーパーを確実に切断でき、引き出し時にはブレーキ機能が解除されるためペーパーを容易に引き出せる。
ペーパーを挟持固定するためペーパーの端部をつかんで容易に引き出すことができる上、ロールの直径が小さくなってもスリップを起こさず巻き戻しを防止できる。
【発明を実施するための最良の形態】
【００１１】
本発明の最良の実施の形態について図面を参照しながら説明する。
【実施例１】
【００１２】
図５が本発明に係るペーパーホルダーの正面図、図６がＡ−Ａ線断面図、図７がペーパーホルダーの平面図、図８は上蓋（２５）下蓋（２３）を開けた状態を示す説明図である。ペーパーホルダーは箱状の本体（２１）と上蓋（２５）下蓋（２３）から構成される。本体（２１）の底面はペーパーの受け床となるため底板（２１ｃ）から前板（２１ａ）下部にかけてアールがつけてありペーパーの滑りをよくしてある。
本体（２１）の両側板（２２）の上部には前方に下蓋（２３）を回動自在に軸支する回動軸（２４）を係止する軸孔（２２ａ）を穿設し、後方に上蓋（２５）を回動自在に軸支する回転軸（２６）を前後にスライド可能に係止する長楕円の軸孔（２２ｂ）を穿設する。軸孔（２２ａ）付近に上蓋（２５）のストッパ（２７）を係止する掛止孔（２８）を穿設する。
両側板（２２）の上部内壁には下蓋（２３）を係止する当板（３０）を取り付ける。
【００１３】
上蓋（２５）は本体（２１）の内壁よりやや小さめの略正方形であって本体後板（２１ｂ）との間に隙間を有する。上蓋（２５）の前方端縁（２５ａ）を波形に形成しペーパーカッターとする。更に前方両側面に本体（２１）に係止するストッパ（２７）を一体的に形成する。
上蓋（２５）の後端縁（２５ｂ）が下蓋（２３）の後端縁に突設したブレーキ（２９）の前方で重なるように両蓋を側板（２２）に取り付ける。
下蓋（２３）は上蓋（２５）とほぼ同じ大きさの略正方形であって下蓋（２３）の後端縁と本体（２１）の後板（２１ｂ）との間にペーパーが通過する程度の隙間を有する前方中央部に切り欠き（２３ａ）を設けて手指を差し込んでペーパーをつかみ易くする。
下蓋（２３）の後端縁（２３ｂ）に突起を設けてブレーキ（２９）とする。ブレーキ（２９）は三角形でも丸型でもよい。上蓋の後端縁（２５ｂ）とブレーキ（２９）とでペーパーを挟持するのである
【産業上の利用可能性】
【００１４】
産業用、家庭用のペーパーホルダーの改良ができる、例えば卓上用ペーパーホルダーまたサランラップのホルダー等の改良ができる。
【図面の簡単な説明】
【００１５】
【図１】ブレーキ機能を有する従来のペーパーホルダーの正面図
【図２】ａ同、ブレーキ機能の作用状態を示す説明図            ｂ同、ブレーキ機能の作用状態を示す説明図
【図３】他の従来例の斜視図。
【図４】他の従来例の斜視図。
【図５】本発明に係るペーパーホルダーの正面図。
【図６】同、Ａ−Ａ線断面図
【図７】ペーパーホルダーの平面図
【図８】上蓋と下蓋を開いた状態を示す左側面図。
【図９】ペーパーホルダーの使用状態を示す説明図。
【符号の説明】
【００１６】
２１，ペーパーホルダー    ２２，側板    ２２ａ、２２ｂ、軸受孔
２３，下蓋    ２３ａ、切り欠き    ２４，２６，回転軸    ２５，上蓋
２７，ストッパー    ２８，係止孔    ２９，ブレーキ    ３０，当板
３１，ペーパー
【図１】
2005102909.tif 000003
【図２】
2005102909.tif 000004
【図３】
2005102909.tif 000005
【図４】
2005102909.tif 000006
【図５】
2005102909.tif 000007
【図６】
2005102909.tif 000008
【図７】
2005102909.tif 000009
【図８】
2005102909.tif 000010
【図９】
2005102909.tif 000011